(57)【要約】      （修正有）【課題】デコレーションしたり外観品質を一段と向上させることができるノートカバーを提供する。【解決手段】ノートカバー１０のカバー本体１２は内側カバー体１４と外側カバー体１６とから構成され、内部にはカバー本体収容部２０が形成されている。前記内側カバー体１４の一側部には第１表紙差込部形成片２６が配設されて第１表紙差込部２８が形成され、内側カバー体１４の他側部には第２表紙差込部形成片３２が配設されて第２表紙差込部３４が形成されている。また、前記外側カバー体１６の第１側部には外側ポケット形成片が配設されて外側ポケットが形成されている。【選択図】図１
0003160117.tif 000002
【実用新案登録請求の範囲】
【請求項１】
内側に配設された内側カバー体と外側に配設された外側カバー体とから構成されて内部にカバー本体収容部が形成された袋状のカバー本体と、前記カバー本体収容部の開口部を開閉するファスナーと、前記内側カバー体の一側部に配設されて内側カバー体と接着されることにより第１表紙差込部を形成する第１表紙差込部形成片と、前記内側カバー体の他側部に配設されて内側カバー体と接着されることにより第２表紙差込部を形成する第２表紙差込部形成片と、前記第１表紙差込部形成片に配設されて第１表紙差込部形成片と接着されることにより内側ポケットを形成する内側ポケット形成片と、前記第２表紙差込部形成片に配設されて第２表紙差込部形成片と接着することにより差込部を形成する差込部形成片と、を有してなることを特徴とするノートカバー。
【請求項２】
内側に配設された内側カバー体と外側に配設された外側カバー体とから構成されて内部にカバー本体収容部が形成された袋状のカバー本体と、前記カバー本体収容部の開口部を開閉するファスナーと、前記内側カバー体の一側部に配設されて内側カバー体と接着されることにより第１表紙差込部を形成する第１表紙差込部形成片と、前記内側カバー体の他側部に配設されて内側カバー体と接着されることにより第２表紙差込部を形成する第２表紙差込部形成片と、前記第１表紙差込部形成片に配設されて第１表紙差込部形成片と接着されることにより内側ポケットを形成する内側ポケット形成片と、前記第２表紙差込部形成片に配設されて第２表紙差込部形成片と接着することにより差込部を形成する差込部形成片と、前記外側カバー体の一側部又は他側部の少なくとも一方に配設されて外側カバー体と接着することにより外側ポケットを形成する外側ポケット形成片と、を有してなることを特徴とするノートカバー。
【請求項３】
内側に配設された内側カバー体と外側に配設された外側カバー体とから構成されて内部にカバー本体収容部が形成されると共に四隅がアール状に形成された矩形状のカバー本体と、前記カバー本体収容部の開口部を開閉するファスナーと、前記内側カバー体の一側部に配設されて内側カバー体と接着されることにより第１表紙差込部を形成する第１表紙差込部形成片と、前記内側カバー体の他側部に配設されて内側カバー体と接着されることにより第２表紙差込部を形成する第２表紙差込部形成片と、前記第１表紙差込部形成片に配設されて第１表紙差込部形成片と接着されることにより内側ポケットを形成する内側ポケット形成片と、前記第２表紙差込部形成片に配設されて第２表紙差込部形成片と接着することにより差込部を形成する差込部形成片と、前記外側カバー体の一側部又は他側部の少なくとも一方に配設されて外側カバー体と接着することにより外側ポケットを形成する外側ポケット形成片と、を有してなることを特徴とするノートカバー。
【考案の詳細な説明】
【技術分野】
【０００１】
本考案は、ノートブック、メモ長や手帳等のノートに装着されるノートカバーに関する。
【背景技術】
【０００２】
ノートブック、メモ帳、手帳等のノートを保護する製品としてノートカバーが広く知られている。
しかし、従来のノートカバーは、ノートカバーが装着されるノートブック等のノートの表紙部等が汚れたり、傷んだりするのを防止することを主目的とした構成である（特許文献１）。
このため、従来のノートカバーではノートの表紙部等が汚れたり痛んだりすることを防止することは可能であるが、ノートに装着した場合に装着されたノートをデコレーションしたりノートの外観品質を向上させたりすることは困難である。
【先行技術文献】
【特許文献】
【０００３】
【特許文献１】実開昭６１−１１５６７７号公報
【考案の概要】
【考案が解決しようとする課題】
【０００４】
本考案は、上記事実に鑑みなされたものであり、ノートブック、メモ帳、手帳等のノートの汚れや傷みを防止するだけでなく、ノートブック、メモ帳、手帳等のノートに装着した場合にノートをデコレーションしたりノートの外観品質を一段と向上させることができるノートカバーを提供するものである。
【課題を解決するための手段】
【０００５】
請求項１の考案は、内側に配設された内側カバー体と外側に配設された外側カバー体とから構成されて内部にカバー本体収容部が形成された袋状のカバー本体と、前記カバー本体収容部の開口部を開閉するファスナーと、前記内側カバー体の一側部に配設されて内側カバー体と接着されることにより第１表紙差込部を形成する第１表紙差込部形成片と、前記内側カバー体の他側部に配設されて内側カバー体と接着されることにより第２表紙差込部を形成する第２表紙差込部形成片と、前記第１表紙差込部形成片に配設されて第１表紙差込部形成片と接着されることにより内側ポケットを形成する内側ポケット形成片と、前記第２表紙差込部形成片に配設されて第２表紙差込部形成片と接着することにより差込部を形成する差込部形成片と、を有してなることを特徴としている。
請求項２の考案は、内側に配設された内側カバー体と外側に配設された外側カバー体とから構成されて内部にカバー本体収容部が形成された袋状のカバー本体と、前記カバー本体収容部の開口部を開閉するファスナーと、前記内側カバー体の一側部に配設されて内側カバー体と接着されることにより第１表紙差込部を形成する第１表紙差込部形成片と、前記内側カバー体の他側部に配設されて内側カバー体と接着されることにより第２表紙差込部を形成する第２表紙差込部形成片と、前記第１表紙差込部形成片に配設されて第１表紙差込部形成片と接着されることにより内側ポケットを形成する内側ポケット形成片と、前記第２表紙差込部形成片に配設されて第２表紙差込部形成片と接着することにより差込部を形成する差込部形成片と、前記外側カバー体の一側部又は他側部の少なくとも一方に配設されて外側カバー体と接着することにより外側ポケットを形成する外側ポケット形成片と、を有してなることを特徴としている。
請求項３の考案は、内側に配設された内側カバー体と外側に配設された外側カバー体とから構成されて内部にカバー本体収容部が形成されると共に四隅がアール状に形成された矩形状のカバー本体と、前記カバー本体収容部の開口部を開閉するファスナーと、前記内側カバー体の一側部に配設されて内側カバー体と接着されることにより第１表紙差込部を形成する第１表紙差込部形成片と、前記内側カバー体の他側部に配設されて内側カバー体と接着されることにより第２表紙差込部を形成する第２表紙差込部形成片と、前記第１表紙差込部形成片に配設されて第１表紙差込部形成片と接着されることにより内側ポケットを形成する内側ポケット形成片と、前記第２表紙差込部形成片に配設されて第２表紙差込部形成片と接着することにより差込部を形成する差込部形成片と、前記外側カバー体の一側部又は他側部の少なくとも一方に配設されて外側カバー体と接着することにより外側ポケットを形成する外側ポケット形成片と、を有してなることを特徴としている。
【考案の効果】
【０００６】
本考案のノートカバーは、ノートブック、メモ帳、手帳等のノートの汚れや傷みを防止するだけでなく、ノートカバーを装着したノートブック、メモ帳、手帳等のノートをデコレーションしたりノートの外観品質を一段と向上させることができるという優れた効果を有する。
また、本考案のノートカバーは、カバー本体収容部に筆記具等を収容することができるという優れた効果を有する。
【図面の簡単な説明】
【０００７】
【図１】実施例のノートカバーを少し開いた状態を内側から見た全体斜視図である。
【図２】実施例のノートカバーをノートブックに装着して少し開いた状態を内側からみた全体斜視図である。
【図３】実施例のノートカバーをノートブックに装着して少し開いた状態を外側からみた全体斜視図である。
【図４】実施例のノートカバーの使用状態を示す側面図である。
【図５】実施例のノートカバーの分解斜視図である。
【考案を実施するための形態】
【０００８】
考案を実施するために最良の形態の例として以下のような実施例を示す。
【実施例１】
【０００９】
図１乃至図５には本考案に係るノートカバーの一実施例が示されている。
図１及び図５に示されるように、実施例のノートカバー１０のカバー本体１２は内側に位置する内側カバー体１４と外側に位置する外側カバー体１６とから構成され、矩形状に形成されている。
図１に示されるように、前記内側カバー体１４と外側カバー体１６はカバー本体１２の第１横辺１２Ａ、第２横辺１２Ｂ、第１縦辺１２Ｃにおいて接着されているが、カバー本体１２の第２縦辺１２Ｄは接着されておらず開口部１８が形成されている。従って、前記カバー本体１２は内側カバー体１２と外側カバー体１６の間にカバー本体収容部２０を有する横長の袋状に形成されている。
なお、前記カバー本体１２の第２縦辺１２Ｄにはファスナー２２が取り付けられており、ファスナースライダー２４をスライドさせることにより前記開口部１８を開閉できるようになっている。
また、前記カバー本体１２の四隅である第１コーナー部１２Ｅ、第２コーナー部１２Ｆ、第３コーナー部１２Ｇ、第４コーナー部１２Ｈはアール状に形成され、ノートカバー１０を取り扱う場合に指や手等が当たっても痛くないようになっている。
前記内側カバー体１４の一側部には第１表紙差込部形成片２６が配設されている。この第１表紙差込部形成片２６の第１横辺２６Ａ、第２横辺２６Ｂ、第１縦辺２６Ｃは内側カバー体１４と接着され、内側カバー体１４と第１表紙差込部形成片２６によって第１表紙差込部２８が形成されている。なお、第１表紙差込部形成片２６の第２縦辺２６Ｄは接着されておらず第１表紙差込開口部３０が形成されている。
前記内側カバー体１４の他側部には第２表紙差込部形成片３２が配設されている。この第２表紙差込部形成片３２の第１横辺３２Ａ、第２横辺３２Ｂ、第１縦辺３２Ｃにおいて内側カバー体１４と接着され、内側カバー体１４と第２表紙差込部形成片３２によって第２表紙差込部３４が形成されている。なお、第２表紙差込部形成片３２の第２縦辺３２Ｄは接着されておらず第２表紙差込開口部３６が形成されている。
前記第１表紙差込部形成片２６の下部（図１下側）には内側ポケット形成片３８が配設されている。この内側ポケット形成片３８の第１縦辺３８Ａ、第２縦辺３８Ｂ、第１横辺３８Ｃは第１表紙差込部形成片２６と接着され、第１表紙差込部形成片２６と内側ポケット形成片３８によって適宜の紙片や栞等を収容できる内側ポケット４０が形成されている。なお、内側ポケット形成片３８の第２横辺３８Ｄは接着されておらず内側ポケット開口部４２が形成されている。
前記第１表紙差込部形成片２６の上部（図１上側）には押え片４４が設けられている。この押え片４４は第１縦辺４４Ａのみが第１表紙差込部形成片２６と接着されている。
前記第２表紙差込部形成片３２には差込部形成片４６が配設されている。この差込部形成片４６は第１縦辺４６Ａ、第１横辺４６Ｂのみが第２表紙差込部形成片３２と接着され、第２表紙差込部形成片３２と差込部形成片４６によって適宜の紙片や栞等を差し込むことができる差込部４８が形成されている。
図３に示されるように、前記外側カバー体１６の第１側部には外側ポケット形成片５０が配設されている。この外側ポケット形成片５０の第１縦辺５０Ａ、第１横辺５０Ｂ、第２横辺３８Ｃは外側カバー体１６と接着され、外側カバー体１６と外側ポケット形成片５０によって外側ポケット５２が形成されている。なお、この外側ポケット形成片５０の第２縦辺５０Ｄは接着されておらず外側ポケット開口部５４が形成されている。
なお、実施例のノートカバー１０はポリプロピレン、ポリエチレン等の軟質のオレフィン系樹脂で製造された透明で薄いシート体で形成されている。
【００１０】
次に、第１実施例のノートカバー１０の作用について説明する。
前記ノートカバー１０にはカバー本体収容部２０が設けられているので、ファスナースライダー２４をスライドさせることにより開口部１８を開けて好みのキャラクター、絵、写真等が描かれた市販や自作のデコレーションシート（図示せず）をカバー本体収容部２０に収容すれば、ノートカバー１０にはデコレーションシートのキャラクター、絵、写真等が表れる。
従って、本考案のノートカバー１０はノートブック１を好みの絵柄やキャラクター等でデコレーションしたり、ノートブック１の外観品質を向上させたりすることができる。
前記ノートカバー１０をノートブック１に装着する場合は、図２及び図３に示されるようにノートブック１の第１表紙２を第１表紙挿入開口部３０を介して第１表紙差込部２８に差し込み、ノートブック１の第２表紙３を第２表紙挿入開口部３６を介して第２表紙差込部３４に差し込むことにより、簡単にノートカバー１０を装着することができる。
また、前記カバー本体収容部２０にはデコレーションシート等以外にも例えば図４に示されるようにペン４や定規５等の筆記用具を収容することができるので、ノートカバー１０と別途に筆箱等を携帯する必要がないので便利である。
なお、ノートカバー１０の外側ポケット５０にもデコレーションシートや写真等を収容することができるので、前記カバー本体収容部２０に収容するデコレーションシート等と別のデコレーションシート等でノートブック１をデコレーションすることができる。
さらに、ノートカバー１０の内側には内側ポケット４０や差込部４８が形成されているので、適宜の紙片や栞等も差し込んで携帯することができ、便利である。
また、前記ノートカバー１０のカバー本体１２の第１コーナー部１２Ｅ、第２コーナー部１２Ｆ、第３コーナー部１２Ｇ、第４コーナー部１２Ｈはアール状に形成されているので、ノートカバー１０を取り扱う際に指や手等が当たっても痛くない。
【００１１】
なお、実施例ではノートカバー１０をノートブック１に装着した場合を説明したが、ノートブック１に限定されるものでなく、メモ帳や手帳等のノート状の物に装着してもよいことは勿論である。
また、実施例のノートカバー１０はポリプロピレン、ポリエチレン等の軟質のオレフィン系樹脂で形成したが、他の材料で形成してもよいことは勿論である。
【産業上の利用可能性】
【００１２】
本考案のノートカバーは、第１表紙部と第２表紙部を有するブック状のものであればノート以外にも装着することができる。
【符号の説明】
【００１３】
１０    ノートカバー
１２    カバー本体
１４    内側カバー体
１６    外側カバー体
１８    開口部
２０    カバー本体収容部
２２    ファスナー
２４    ファスナースライダー
２６    第１表紙差込部形成片
２８    第１表紙差込部
３０    第１表紙差込開口部
３２    第２表紙差込部形成片
３４    第２表紙差込部
３６    第２表紙差込開口部
３８    内側ポケット形成片
４０    内側ポケット
４２    内側ポケット開口部
４４    押え片
４６    差込部形成片
４８    差込部
５０    外側ポケット形成片
【図１】
0003160117.tif 000003
【図２】
0003160117.tif 000004
【図３】
0003160117.tif 000005
【図４】
0003160117.tif 000006
【図５】
0003160117.tif 000007